(57)【特許請求の範囲】
【請求項１】
ＭＡＣヘッダと、送信すべきディジタルデータが格納されたペイロードと、前記ディジタルデータの誤り検出を行うためのフレームチェックシーケンスとがそれぞれ設けられた複数のセグメントに分けられたフレームがディジタル変調されている一方、前記複数の各セグメントの先頭に、各セグメントを識別する固有ＩＤが設けられると共に、前記フレームの先頭には、少なくともＰＨＹ（Physical）ヘッダおよび送信先情報が設けられ、前記固有ＩＤと、ＰＨＹ（Physical）ヘッダと、送信先情報とが、前記フレームのディジタル変調方式より無線耐性が強い変調方式によりディジタル変調されている構造を有するＯＦＤＭ信号をＯＦＤＭ信号変調装置から受信し、復調するＯＦＤＭ信号復調装置であって、
前記ＯＦＤＭ信号に含まれる前記フレームをディジタル復調して、前記ディジタルデータを復元するフレーム復調手段と、
前記ＯＦＤＭ信号に含まれる前記フレームチェックシーケンスを用いて前記セグメント毎に誤り訂正処理を行う誤り訂正手段と、
前記誤り訂正手段にて前記フレームチェックシーケンスを用いて前記セグメント毎に誤り訂正処理を行い、誤り訂正処理が不可であったセグメントを示す誤り訂正不可信号を検出する誤り訂正不可信号検出手段と、
前記ＯＦＤＭ信号に含まれる前記固有ＩＤと、ＰＨＹ（Physical）ヘッダと、送信先情報とディジタル復調するＰＨＹヘッダ・送信先情報復調手段と、
前記ＰＨＹヘッダ・送信先情報復調手段によってディジタル復調された前記固有ＩＤと送信先情報とを確認する送信先・固有ＩＤ確認手段と、
前記誤り訂正不可信号が検出され誤り訂正処理が不可であったセグメントの固有ＩＤを前記送信先・固有ＩＤ確認手段から取得しＮＡＫ信号に設定し、前記ＯＦＤＭ信号変調装置に対し送信するＮＡＫ信号生成手段と、
を有するＯＦＤＭ信号変調装置。
【請求項２】
ＭＡＣヘッダと、送信すべきディジタルデータが格納されたペイロードと、前記ディジタルデータの誤り検出を行うためのフレームチェックシーケンスとがそれぞれ設けられた複数のセグメントに分けられたフレームがディジタル変調されている一方、前記複数の各セグメントの先頭に、各セグメントを識別する固有ＩＤが設けられると共に、前記フレームの先頭には、少なくともＰＨＹ（Physical）ヘッダおよび送信先情報が設けられ、前記固有ＩＤと、ＰＨＹ（Physical）ヘッダと、送信先情報とが、前記フレームのディジタル変調方式より無線耐性が強い変調方式によりディジタル変調されている構造を有するＯＦＤＭ信号をＯＦＤＭ信号変調装置から受信し、復調するＯＦＤＭ信号復調方法であって、
前記ＯＦＤＭ信号に含まれる前記フレームをディジタル復調して、前記ディジタルデータを復元するステップと、
前記ＯＦＤＭ信号に含まれる前記フレームチェックシーケンスを用いて前記セグメント毎に誤り訂正処理を行うステップと、
前記フレームチェックシーケンスを用いて前記セグメント毎に誤り訂正処理を行い、誤り訂正処理が不可であったセグメントを示す誤り訂正不可信号を検出するステップと、
前記ＯＦＤＭ信号に含まれる前記固有ＩＤと、ＰＨＹ（Physical）ヘッダと、送信先情報とディジタル復調するステップと、
ディジタル復調された前記固有ＩＤと送信先情報とを確認するステップと、
前記誤り訂正不可信号が検出され誤り訂正処理が不可であったセグメントの固有ＩＤをＮＡＫ信号に設定し、前記ＯＦＤＭ信号変調装置に対し送信するステップと、
を有するＯＦＤＭ信号変調方法。
【発明の詳細な説明】
【技術分野】
【０００１】
本発明は、通信ネットワークに、パケット化されたデータ（情報信号）を無線伝送するＯＦＤＭ信号変調装置およびＯＦＤＭ信号変調方法に関し、特にＩＥＥＥ（The Institute of Electrical and Electronics Engineers, Inc.／米国電気電子学会）で標準化されている無線ＬＡＮ（Local Area Net Work）規格である、IEEE Std 802.11のＭＡＣ（Medium Access Control）層の利用効率向上に関するものである。
【背景技術】
【０００２】
従来から、パケット化されたデータを無線伝送する方法として、IEEE 802.11 MAC層におけるアクセス制御方式が用いられている。そして、伝送媒体として電波無線を使用する伝送方式では、有線による通信方式と異なり、複数の送信端末からデータが同時に伝送される場合は相互に干渉し通信を妨害する。即ち、データの衝突は避けられない問題である。
【０００３】
即ち、送信側端末がデータ送信を行っているときには、その送信信号が自局で受信される電力は、他の送信端末から送信されて受信される電力よりも大きいため、他の送信端末から信号が送信されていることを検出できない。そこでIEEE 802.11ではＣＳＭＡ／ＣＡ（Carrier Sense Multiple Access with Collision Avoidance）と称するアクセス制御方式を用い、送信されるデータ同士の衝突を回避しようとしている。
【０００４】
図１７に、従来のデータ衝突回避に係り、端末数が３の場合のＭＡＣアクセス制御例を示す。
同図において、端末１は（１）に示す時間までデータを伝送している。端末２、及び端末３は送信すべきデータを保有し、待機している。
【０００５】
端末２及び端末３は、端末１がデータを送信し終えた（１）の時点から回線のキャリアセンスを実行し、ビジー、即ち他の端末が回線を使用中であるかを調べる。回線上のエネルギーが全く無い状態が連続して検出される場合は、その検出時間が３４μ秒であるＤＩＦＳ（Distributed Coordination Function Inter Frame Spacing）と称する固定期間、及び端末毎に異なってランダムに与えられるバックオフの期間待機する。
【０００６】
端末２と端末３とは共に同時刻であるＤＩＦＳの期間を待機する。その後、端末ごとに乱数により与えられるお互いに異なったバックオフの期間待機する。ここに示した端末２のバックオフ期間は端末３よりも短い時間であるため、端末２はその終了時点の（２）からデータを送信する。
【０００７】
端末３はバックオフ終了後回線をチェックする。しかし、端末２の送信電力が検出されるため、送信を行わない。そして、端末３は、端末２の送信終了後の（３）からＤＩＦＳ及び新たに選定されるバックオフの期間を待機し、時刻（４）において回線上のエネルギーが無いとして検出されたときに、はじめて送信を行える。
【０００８】
ここで、バックオフの期間は、端末毎に異なる値が用いられるようにされているため、仮に端末同士が同時に回線上の無キャリアを検出する場合であっても、お互いに異なる時刻から送信を開始するようにしているため、回線上に送信されるパケットが衝突する可能性は低く抑えられている。
【０００９】
即ち、各端末はそれぞれが有する現時点のＣＷ（Contention Window）パラメータをもとにして、０〜ＣＷの時間範囲からランダムな時間を選択し、その選択された時間をバックオフの期間として用いる。
図１８に、従来から用いられているＣＷパラメータの値を示す。
【００１０】
同図において、横軸は再送回数であり、縦軸はＣＷ係数の上限値を示している。即ち、最初の送信時には０〜７の間で発生される乱数値が用いられる。２回目は０〜１５、３回目は０〜３１、そして６回目以降は０〜２５５の間で発生される乱数値を基にしたバックオフ時間が用いられる。なお、バックオフ時間は係数値にスロットタイムである９マイクロ秒を乗じた時間である。
【００１１】
上記のように、従来のＣＳＭＡ／ＣＡによるアクセス制御方式では、再送を行うごとにバックオフ時間が長く設定され、送信のために長い時間を必要とするシステムとなっている。しかし、端末３が端末２より離れた場所にあり、且つ受信環境が好ましくない場合もある。その場合には、端末３は端末２の発している信号を受信できなく、所定のバックオフ時間経過後に送信を開始する。端末２から発する信号に端末３から発せられる信号が干渉し目的とするデータの送達ができなくなる。
【００１２】
ＩＥＥＥ８０２．１１のＭＡＣアクセス制御方式においては、データの送達が確かになされたかお確認するため、受信端末側からＡＣＫ（Acknowledgment）を送信端末側に返信する仕組みを規定している。
図１９に従来のＩＥＥＥ８０２．１１のＭＡＣアクセス制御方式においてなされるＡＣＫによる送達確認の手順を示す。
【００１３】
送信側端末はＤＩＦＳ期間回線が使用されていない事を確認し、データ送信を開始する。受信側端末では、データが自分宛である事を確認した場合には、データ受信後１６μｓｅｃのＳＩＦＳ（Short Inter Frame Space）期間待機し、正常にデータが受信出来た場合にはその事を示すＡＣＫ（Acknowledgment）を返信する。
【００１４】
ＳＩＦＳは１６μsecに設定されており、通常のデータ開始前のDIFS（34μsec）と比較して短いため、他のデータ通信よりもＡＣＫが優先して伝送される。一方、他の端末は送信側端末、および受信側端末が伝送を行っている間は回線にアクセス不可とされている。即ち、他の端末はＡＣＫ返信がなされた後の、ＤＩＦＳ区間回線がビジーでない事を確認した後に、初めて競合区間でバックオフによる送信待ちの状態に入ることができるように規定されている。
【００１５】
そして、複数種類のメディアデータを多重化して送信側装置から受信側装置へ送信するに際して、各メディア毎の特性等に応じて再送処理を規制する方法として、各メディア毎の特性等に応じて再送処理を規制する機能を有する送信側装置を、ブロック生成手段が各メディアデータをブロックに分割してエラー検出符号を付し、これらを多重化手段が混合配列して送信手段が送信するようになし、データの再送手段は受信側装置から通知されたブロックデータを再送処理する方法がある。
さらに、受信側装置では、受信手段が受信したブロックデータ列を分離手段が各メディア毎に分離し、再生手段が各メディアデータを再生するとともに、再送要求手段がエラー検出手段により伝送エラーが検出されたブロックを送信側装置へ通知する。また、送信側装置と受信側装置との少なくともいずれか一方には、各メディア毎に再送処理を行うか否かを設定する再送設定手段と、この設定に基づいて各メディア毎に再送処理を規制する再送制御手段とを備えてメディアデータを送受信する方法がある（例えば、特許文献１参照。）。
【先行技術文献】
【特許文献】
【００１６】
【特許文献１】特開平１０−３４１２１７号公報
【発明の概要】
【発明が解決しようとする課題】
【００１７】
しかしながら、従来のＩＥＥＥ８０２．１１におけるアクセス制御では、送信終了後の所定時間内に受信端末からＡＣＫ返信がなされなかった場合、及び受信を失敗したことを示すＮＡＫ（Negative Ack）が受信された場合に既送信データを再送するようにしている。そして、再送のプロトコルは７層あるＯＳＩモデルの、層の中で完結するように動作されている。
【００１８】
そして、無線通信におけるＡＣＫ信号の返信は、有線における返信と異なり、送信直後に受信端末から送信される微弱な受信信号にはバースト誤りデータが含まれることが多い。そして、受信信号が検出された場合であってもその信号がどの端末宛に送られた信号であるかの情報すら得ることができない。従って送信端末は、仮に受信端末が正常に受信を終えた場合であっても再送を繰り返してしまうなど帯域利用率を悪化させてしまうという課題があった。
【００１９】
そこで本発明では、受信端末は常にはＡＣＫ信号を返送せず、正常な受信を出来なかったときにのみＮＡＫ信号を返送するようにする。送信端末は送信直後にＮＡＫ信号を受信しないときは正常に送信されたとみなし、次のデータを送信し続けるようにし、帯域利用率を向上させる。そこで、ＮＡＫ信号の送信は送信先を示すコードを無線耐性の優れた送信方式で送信する。受信端末が正常な受信を出来なかったときにのみ送信されるＮＡＫ情報はＡＣＫよりも重要な情報であり、送信されたＮＡＫ情報を確実に送信端末に伝送するようにする。
【００２０】
そして、ＮＡＫ情報を伝送する受信端末が、仮に第３の送信端末に対して隠れ端末となる場合であり、ＮＡＫ情報が伝送されているにも関わらず、第３の端末が無キャリア状態であるとして送信する信号がある場合であっても、前記受信端末から送信されるＮＡＫ信号を無線耐性のあるディジタル変調方式により送信することにより、送信端末はＮＡＫ信号が自端末宛てに送信されていることを認識し易く、ＮＡＫ情報が送信されたにも関わらず正常に受信したとみなされてデータの送信が継続されることをなくすようにした、ＯＦＤＭ信号変調装置およびＯＦＤＭ信号変調方法を提供しようとするものである。
【課題を解決するための手段】
【００２１】
上記課題を解決するため、本発明のＯＦＤＭ信号変調装置は、ＭＡＣヘッダと、送信すべきディジタルデータが格納されたペイロードと、前記ディジタルデータの誤り検出を行うためのフレームチェックシーケンスとがそれぞれ設けられた複数のセグメントに分けられたフレームがディジタル変調されている一方、前記複数の各セグメントの先頭に、各セグメントを識別する固有ＩＤが設けられると共に、前記フレームの先頭には、少なくともＰＨＹ（Physical）ヘッダおよび送信先情報が設けられ、前記固有ＩＤと、ＰＨＹ（Physical）ヘッダと、送信先情報とが、前記フレームのディジタル変調方式より無線耐性が強い変調方式によりディジタル変調されている構造を有するＯＦＤＭ信号をＯＦＤＭ信号変調装置から受信し、復調するＯＦＤＭ信号復調装置であって、前記ＯＦＤＭ信号に含まれる前記フレームをディジタル復調して、前記ディジタルデータを復元するフレーム復調手段と、前記ＯＦＤＭ信号に含まれる前記フレームチェックシーケンスを用いて前記セグメント毎に誤り訂正処理を行う誤り訂正手段と、前記誤り訂正手段にて前記フレームチェックシーケンスを用いて前記セグメント毎に誤り訂正処理を行い、誤り訂正処理が不可であったセグメントを示す誤り訂正不可信号を検出する誤り訂正不可信号検出手段と、前記ＯＦＤＭ信号に含まれる前記固有ＩＤと、ＰＨＹ（Physical）ヘッダと、送信先情報とディジタル復調するＰＨＹヘッダ・送信先情報復調手段と、前記ＰＨＹヘッダ・送信先情報復調手段によってディジタル復調された前記固有ＩＤと送信先情報とを確認する送信先・固有ＩＤ確認手段と、  前記誤り訂正不可信号が検出され誤り訂正処理が不可であったセグメントの固有ＩＤを前記送信先・固有ＩＤ確認手段から取得しＮＡＫ信号に設定し、前記ＯＦＤＭ信号変調装置に対し送信するＮＡＫ信号生成手段と、を有するＯＦＤＭ信号変調装置である。
また、本発明のＯＦＤＭ信号変調方法は、ＭＡＣヘッダと、送信すべきディジタルデータが格納されたペイロードと、前記ディジタルデータの誤り検出を行うためのフレームチェックシーケンスとがそれぞれ設けられた複数のセグメントに分けられたフレームがディジタル変調されている一方、前記複数の各セグメントの先頭に、各セグメントを識別する固有ＩＤが設けられると共に、前記フレームの先頭には、少なくともＰＨＹ（Physical）ヘッダおよび送信先情報が設けられ、前記固有ＩＤと、ＰＨＹ（Physical）ヘッダと、送信先情報とが、前記フレームのディジタル変調方式より無線耐性が強い変調方式によりディジタル変調されている構造を有するＯＦＤＭ信号をＯＦＤＭ信号変調装置から受信し、復調するＯＦＤＭ信号復調方法であって、前記ＯＦＤＭ信号に含まれる前記フレームをディジタル復調して、前記ディジタルデータを復元するステップと、前記ＯＦＤＭ信号に含まれる前記フレームチェックシーケンスを用いて前記セグメント毎に誤り訂正処理を行うステップと、前記フレームチェックシーケンスを用いて前記セグメント毎に誤り訂正処理を行い、誤り訂正処理が不可であったセグメントを示す誤り訂正不可信号を検出するステップと、前記ＯＦＤＭ信号に含まれる前記固有ＩＤと、ＰＨＹ（Physical）ヘッダと、送信先情報とディジタル復調するステップと、ディジタル復調された前記固有ＩＤと送信先情報とを確認するステップと、前記誤り訂正不可信号が検出され誤り訂正処理が不可であったセグメントの固有ＩＤをＮＡＫ信号に設定し、前記ＯＦＤＭ信号変調装置に対し送信するステップと、を有するＯＦＤＭ信号変調方法である。
【発明の効果】
【００２２】
本発明のＯＦＤＭ信号変調装置およびＯＦＤＭ信号変調方法によれば、ＯＦＤＭ信号に含まれるフレームをディジタル復調して、ディジタルデータを復元する際、ＯＦＤＭ信号に含まれるフレームチェックシーケンスを用いてセグメント毎に誤り訂正処理を行い、フレームチェックシーケンスを用いてセグメント毎に誤り訂正処理を行い、誤り訂正処理が不可であったセグメントを示す誤り訂正不可信号を検出する一方、ＯＦＤＭ信号に含まれる固有ＩＤと、ＰＨＹ（Physical）ヘッダと、送信先情報とディジタル復調し、ディジタル復調された固有ＩＤと送信先情報とを確認し、誤り訂正不可信号が検出され誤り訂正処理が不可であったセグメントの固有ＩＤをＮＡＫ信号に設定し、ＯＦＤＭ信号変調装置に対し送信するようにしたので、送信側では、ＯＦＤＭ信号復調の際、誤り訂正ができなかったセグメントを容易に認識することができる。
【図面の簡単な説明】
【００２３】
【図１】本発明の実施例に係る、無線パケットデータ伝送システムの概略構成を示す図である。
【図２】本発明の実施例に係る、ＯＦＤＭ信号を送信する送信装置の概略構成を示す図である。
【図３】本発明の実施例に係る、ＯＦＤＭ信号を受信する受信装置の概略構成を示す図である。
【図４】本発明の実施例に係る、ＯＦＤＭ信号送信装置の構成を示すブロック図である。
【図５】本発明の実施例に係る、ＯＦＤＭ信号のデータフレームの構成を示す図である。
【図６】本発明の実施例に係る、ＯＦＤＭ信号受信装置の構成を示すブロック図である。
【図７】本発明の実施例に係る、ＮＡＫ信号の、ＭＡＣ部分のフレーム構成を示す図である。
【図８】本発明の実施に係る、第１の変形例によるＯＦＤＭ信号送信装置の構成を示す図である。
【図９】本発明の実施に係る、第１の変形例によるデータフレームの構成を示す図である。
【図１０】本発明の実施に係る、第１の変形例によるＯＦＤＭ信号受信装置の構成を示す図である。
【図１１】本発明の実施に係る、第１の変形例によるＮＡＫ信号のフレーム構成を示す図である。
【図１２】本発明の実施に係る、送信機及び受信機から送信される信号を示す図である。
【図１３】本発明の実施に係る、第２の変形例によるＯＦＤＭ送信装置の構成を示す図である。
【図１４】本発明の実施に係る、第２の変形例によるデータフレームの構成を示す図である。
【図１５】本発明の実施に係る、第２の変形例によるＯＦＤＭ信号受信装置の構成を示す図である。
【図１６】本発明の実施に係る、第２の変形例によるＮＡＫ信号のフレーム構成を示す図である。
【図１７】従来例に係る、無線パケットデータ伝送システムの動作の概略を示す図である。
【図１８】従来例に係る、ＣＷパラメータの値を示す図である。
【図１９】従来例に係る、ＡＣＫによる送達確認の手順を示す図である。
【発明を実施するための形態】
【００２４】
本発明の実施形態である、無線パケット化データの受信方法及び無線パケット化データ伝送システムによれば、以下の１）又は２）に示す効果を提供することができる。
すなわち、
１）  受信されるパケット化情報信号より送信者を識別するための送信者識別符号を得、得られた送信者識別符号及び再送すべきパケット化情報信号の位置情報を小さな多値数でディジタル変調したＮＡＫ信号を送信するようにしているため、正常に受信したことを示すＡＣＫ信号の伝送よりも帯域利用率を高めることが出来る。さらに、受信側から送信側に送信する再送要求は、無線耐性の高い変調方式を用いて送信するため、送信側では自局宛てにＮＡＫ信号が送信されたことの認識を容易にさせることのできる無線パケット化データの受信方法を実現できる。
２）  パケット化された信号の送信終了直後からの第１の期間をＮＡＫ信号の送信期間とし、ＮＡＫ信号の送信が検出されないときには、他端末が信号を送信するようになした無線パケットデータ伝送システムにおいて、ＮＡＫ信号は無線耐性のあるディジタル変調方式により送信するようにしているため、送信側では自局宛てにＮＡＫ信号が送信されたことを容易に認識することのできる無線パケット化データ伝送システムを実現できる。
【００２５】
以下、本発明の、ＯＦＤＭ信号変調装置およびＯＦＤＭ信号変調方法の実施形態につき、好ましい実施例により説明する。
図１に、その無線パケットデータ伝送システムの概略構成を示し、図面を参照し説明する。
【００２６】
同図に示す無線パケットデータ伝送システムは、アクセスポイント（以下ＡＰと略する、または親機と呼ぶことも有る）１と、端末Ａ２ａ、端末Ｂ２ｂ及び端末Ｃ２ｃより構成される。それぞれの端末Ａ２ａ〜Ｃ２ｃ及びＡＰ１は無線ネットワークを介して互いに接続されている。端末Ａ２ａ及び端末Ｂ２ｂはＡＰ１に制御されつつ無線通信を行い、無線ネットワークを介して所望のパケット化されたデジタルデータを端末Ａ２ａから送信し、端末Ｂ２ｂはそれを受信している。
【００２７】
ここで、端末Ａ２ａから送信される情報は、例えばディジタルビデオ信号など連続して伝送されるデータであり、その連続データは所定のサイズごとに分割され、分割されたデータに誤り訂正符号が付されたパケット化データとして送信される。
【００２８】
送信されたパケット化データは端末Ｂ２ｂにより受信され、受信されたパケット化データの誤り検出演算がなされる。受信されたデータに誤りデータがあるときには付された誤り訂正符号を用いて誤り信号の訂正がなされる。受信されたパケット化データに誤り信号が含まれない場合、及び訂正処理がなされた場合に、端末Ｂ２ｂはパケット化データが正常に受信されたとするＡＣＫ信号の伝送は特に行わないこととする。
【００２９】
端末Ａ２ａは、パケット化データ送信後、特に端末Ｂ２ｂよりＡＣＫ信号の返信がないときには、正常な受信がなされたものと認識し、次のデータ送信期間に、次のパケット化データを送信するようにし、分割されたパケット化データは次々と送信がなされる。
【００３０】
端末Ｂ２ｂが訂正のできない誤りを含むパケット化データを受信したときには、送信端末Ａ２ａを受信端末として指定したＮＡＫ（Negative Ack）信号を返信し、正常に受信できなかったパケット信号の再送を依頼する。そのＮＡＫ信号は端末Ａ２ａが伝送するパケット化データになされるディジタル変調に比して無線耐性の強い変調方式により変調して伝送する。
【００３１】
端末Ａ２ａが行なうディジタル変調方式が例えば１６ＱＡＭ（16-quadrature amplitude modulation）方式による場合は、次に述べる理由により端末Ｂ２ｂのディジタル変調はＱＰＳＫ（quadrature phase shift keying）、またはＢＰＳＫ（bi-phase shift keying）により変調して送信する。
【００３２】
即ち、端末Ｂ２ｂがＮＡＫ信号の伝送を許可される期間は端末Ａ２ａの伝送終了後例えば１６μ秒であるＳＩＦＳ（Short Inter Frame Space）を経過した時刻からであり、少なくとも例えば２０μ秒であるＡＰＩＦＳ（Access Point Inter Frame Space）経過時点までに送信を開始する必要がある。端末Ｂ２ｂはＳＩＦＳ経過後にＮＡＫ信号の送信を開始する。端末Ａ２ａはそのＮＡＫ信号の受信を開始し、その間パケット化データの送信は行なわない。
【００３３】
一方、端末Ｃ２ｃがＡＰ１に対して、何らかの要求信号（ＲＥＱ）を伝送しようとしている場合を考える。その場合の要求信号の送信許可される時間は、他の端末の送信終了後例えば２４μ秒であるＲＲＩＦＳ（Recovery/Request Inter Frame Space）を経過した時間からとされている。
【００３４】
ここで、端末Ｃ２ｃに対して端末Ｂ２ｂは隠れ端末の状態、即ち端末Ｃ２ｃは端末Ｂ２ｂから送信するＮＡＫ信号を受信できない場合には、端末Ｃ２ｃは端末Ａ２ａ送信終了後キャリア信号を検出できない。そして、端末Ａ２ａ送信終了後ＲＲＩＦＳの期間経過した時点から送信を待機していた要求信号の送信を開始する。
【００３５】
端末Ａ２ａには端末Ｂ２ｂから送信されるＮＡＫ信号と、端末Ｃ２ｃから送信される要求信号の両者が同時に受信されてしまう。
そして、受信される２つの信号のうち、送信開始時刻の早いＮＡＫ信号は優先的に受信されるべき信号である。そのＮＡＫ信号は無線耐性のある信号として送信されているため、送信端末Ａ２ａは受信された信号をフィルタ処理し、復調された信号の歪成分を減衰させることによりＮＡＫ信号は復号され易い。
【００３６】
ここでＮＡＫ信号が復号されれば、端末Ａ２ａと端末Ｂ２ｂ間のデータの再送、及びその後に継続される通信は正常に行われる。そして、端末Ｃ２ｃからの要求信号は、端末Ｃ２ｃに正規の送信許可の与えられる時間に再度送信することになる。
【００３７】
以上、パケット化データを受信する端末Ｂ２ｂは、正常な受信がなされているときには特にＡＣＫ信号を返信しないようにしているため、ＡＣＫ信号の送信に係る時間を節約することができる。
【００３８】
さらに、端末Ｂ２ｂはデータ受信に失敗したときにのみＮＡＫ信号を、無線耐性の優れた変調方式により伝送するようにしているため、エラーデータの再送を受けられると共に、仮に端末Ｂ２ｂが隠れ端末となった場合であり、他の端末がキャリアをセンスしないために送信する信号がある場合でであっても端末Ｂ２ｂの送信する信号は復号される確立が高く、通信が継続してなされる可能性が高い。
【００３９】
そして、端末Ｂ２ｂが隠れ端末にならない場合であっても、送信先を示すコードを無線耐性の高い送信方式により送信するようにしているため、その信号を受信した端末は自局に対して送信された信号か、または他局に対して送信された信号であるかを知ることができる。このことにより自局に送信される信号を確実に受信しようとするときには、自局は例えばＣＴＳ（Clear To Send）コマンドを送信することにより、隠れ端末問題が原因で発信される信号の送信を抑制することができる。これにより送信頻度が低く、且つ重要であるＮＡＫ信号の受信を確実に行うようにした無線パケット伝送システムを実現することが出来る。
【００４０】
以上、ＮＡＫ方式による無線パケット伝送システムについて概説した。
次に、これらの動作を行うそれぞれの端末装置が有するそれぞれの送信装置及び受信装置の構成と、その動作について述べる。
図２に、ＯＦＤＭ（Orthogonal Frequency Division Multiplexing）信号を発生させる送信装置の概略構成を示し、図面を参照してその動作につき説明する。
【００４１】
同図に示すＯＦＤＭ信号送信装置は、誤り訂正信号付加部３２、マッピング部３３、逆フーリエ変換部３４、ガードインターバル付加部３５、高周波信号処理部３６、送信制御部３８、及び送信先情報・ＮＡＫ情報生成部３９より構成される。
【００４２】
まず、誤り訂正信号付加部３２に供給される情報信号は、例えばデジタルビデオ信号の様に連続して伝送される信号である。誤り訂正信号付加部３２では伝送中に生じる誤りデータを訂正するための訂正符号が付加される。次に、マッピング回路３３により送信すべきディジタルデータは複数のＱＡＭ（Quadrature Amplitude Modulation）平面にマッピングされる。
【００４３】
複数のＱＡＭ平面にマッピングされたそれぞれのデータは、逆フーリエ変換部３４で逆フーリエ変換され、それぞれのＱＡＭ平面の信号として変調された複数の直交周波数分割された変調信号が生成される。それらの直交周波数分割信号には、ガードインターバル付加部３５においてマルチパス歪を軽減するためのガードインターバルが付加される。
【００４４】
ガードインターバルの付加された直交周波数分割信号は、高周波信号処理部３６で空間伝送路に放射するための所定の信号処理が行われ、送信が許可される時間帯にアンテナ回路を介して無線ネットワークに出力される。
【００４５】
送信装置から送信される信号は、情報信号の他に、後述の受信装置により受信された情報信号に誤りデータが含まれ、その誤りデータの訂正がなされなかったときには、送信された情報信号が正常に受信されなかったことを示すＮＡＫ情報を生成し、送信端末を受信先として指定し、返送する。
【００４６】
そのＮＡＫ情報及び、情報信号の送信先を示す信号は送信先情報・ＮＡＫ情報生成部３９により生成され、マッピング３３に供給される。ここで、マッピング部によりマッピングされるＱＡＭ平面は、次数の小さな例えば４値のＱＡＭマッピング平面、ないしはＢＰＦＳ平面が使用される。
【００４７】
マッピングされた信号は逆フーリエ変換部３４により逆フーリエ変換され、ガードインターバル付加部３５でガードインターバルが付加され、高周波信号処理部３６を介して送信される。その送信タイミングはＮＡＫ情報を送信するタイミングとしてＳＩＦＳにより指定される時刻である。
【００４８】
図３に、ＯＦＤＭ（Orthogonal Frequency Division Multiplexing）信号を受信する受信装置の概略構成を示し、図面を参照してその動作につき説明する。
同図に示すＯＦＤＭ信号受信装置は、高周波信号処理部４１、キャリアセンス部４２、ガードインターバル除去部４４、フーリエ変換部４５、デマッピング部４６、誤り信号訂正処理部４７、及び送信先情報・ＮＡＫ情報取得部４９より構成される。
【００４９】
まず、アンテナ回路により取得された空間伝送路である無線ネットワーク上の信号は高周波信号処理部４１で増幅される。増幅された信号の一部はキャリアセンス部４２に供給されると共に他の一部はガードインターバル除去部４４に供給される。
【００５０】
キャリアセンス部４２では無線ネットワーク上にキャリア信号が存在するか否かの検出が行われ、検出された結果は上記の送信制御部３８に供給される。
ガードインターバル除去部４４では、前記のガードインターバル付加部３５では付加されたガードインターバル部の信号が除去される。
【００５１】
次に、フーリエ変換部４５でガードインターバル部の除去された直交周波数分割多重信号はフーリエ変換され、その結果ＱＡＭ平面上の信号点情報が得られる。その信号点情報をデマッピング部４６ではマッピング部３３で行われたと相補的な動作が行われ、伝送されたディジタル情報が得られる。
【００５２】
伝送された情報信号に誤りデータが含まれるときには、誤り信号訂正処理部４７で誤りデータの訂正が行われ、得られたデジタル情報信号が出力される。
一方、他の送信端末から送信された送信先情報・ＮＡＫ情報は、高周波信号処理部４１、ガードインターバル除去部４４、及びフーリエ変換部４５で所定の信号処理がなされて、デマッピング部４６に供給される。そこでは次数の小さな例えば４値のＱＡＭマッピング平面、ないしはＢＰＦＳ平面が使用されて送信先情報・ＮＡＫ情報の取得がなされる。
【００５３】
取得されたＮＡＫ情報は、前記のＯＦＤＭ信号送信装置に伝えられ、受信が失敗したパケット化された情報信号が再度送信される。再送された情報信号が正常に受信されたときには、受信端末はＡＣＫ信号を返信せず、パケット化された情報信号の受信が失敗したときにのみＮＡＫ信号を返送する。
【００５４】
以上、ＯＦＤＭ信号送信装置、及びＯＦＤＭ信号受信装置の構成とそれらの動作について概説した。
【００５５】
次に、無線パケット伝送システムに用いられる送信手順、及び受信手順について構成例を示し、その動作について詳述する。
図４に、そのＯＦＤＭ信号送信装置の構成を示し、図面を参照し説明する。
【００５６】
同図に示すＯＦＤＭ信号送信装置は、ＭＡＣフレーム作成部３１ａ、リファレンス信号部３１ｂ、送信先情報抽出部３１ｃ、ＰＨＹ（Physical）ヘッダ部３１ｄ、ＦＥＣ（Forward Error Correction）インターリービング部３２、マッピング部３３、ＩＦＦＴ（Inverse fast Fourier transform）３４、ガードインターバル（ＧＩ）付加部３５ａ、プリアンブル付加部３５ｂ、及び高周波増幅処理部３６より構成される。また、マッピング部３３はＭＡＣフレーム用変調部３３ａ、リファレンス用変調部３３ｂ、及びＰＨＹヘッダ・送信先情報変調部３３ｃより構成されている。
【００５７】
まず、入力された情報信号はＭＡＣフレーム作成部３１ａでＭＡＣヘッダと共にＭＡＣフレーム化された信号として生成され、ＦＥＣインターリービング部３２で誤り訂正符号が付加された後、マッピング部３３のＭＡＣフレーム用変調部３３ａでＱＡＭ平面へのマッピングがなされる。
【００５８】
また、送信先情報抽出部３１ｃでは入力されたＭＡＣヘッダから送信先を記した領域が抽出され、ＰＨＹヘッダ部３１ｄで生成されるＰＨＹヘッダと共にＰＨＹヘッダ・送信先情報変調部３３ｃに供給される。そこでは、無線耐性の強い変調方式で変調するためのＱＡＭ平面へのマッピングがなされる。
【００５９】
マッピング部３３のリファレンス用変調部３３ｂでは、リファレンス信号部３１ｂより供給される受信装置の同期動作を行わせるためのリファレンス信号のマッピングを行う。マッピング点はＱＡＭ平面上に規定される所定の信号点に対してである。
【００６０】
ＱＡＭマッピングのなされた上記の信号は逆フーリエ変換部３４に供給され、そこではＯＦＤＭ信号を構成する例えば５２本のサブキャリア信号として生成される。生成された信号は、ガードインターバル付加部３５ａでマルチパス歪を軽減するためのガードインターバル信号が付加される。次に、プリアンブル付加部３５ｂでプリアンブル信号が付加され高周波増幅処理部３６では高周波信号増幅などの信号処理がなされ、図示しないアンテナに供給され、無線ネットワークに送信される。
【００６１】
図５に、無線ネットワークに送信されるＯＦＤＭ信号のデータフレームのフォーマットを示し、説明する。
送信される信号の最初の部分はプリアンブル、ＰＨＹヘッダ、及び送信先であり、この部分はＰＨＹヘッダ・送信先情報変調部３３ｃによりマッピングされる。マッピングされて生成される信号は、無線耐性の強い変調方式によりディジタル変調されたＯＦＤＭ信号の最初の部分である。
【００６２】
その次に、フレームコントロール、デュレイション・ＩＤ、アドレス１、アドレス２、アドレス３、シーケンスコントロールなどの記述領域が割り当てられるＭＡＣヘッダが送信され、続いて情報信号を送信するためのペイロード、及び伝送された信号の誤り検出を行うためのＦＣＳ（Frame check sequence）が送信される。それらのＭＡＣヘッダ、ペイロード及びＦＣＳは例えば、無線LANの規格であるIEEE 802.11で用いられている信号である。
【００６３】
そして、ＭＡＣヘッダ、ペイロード、及びＦＣＳなどのＭＡＣフレームは、ＭＡＣフレーム用変調部３３ａによりマッピングされて変調された信号であり、いわゆる通常の無線耐性を有する変調信号である。
【００６４】
従って、ＭＡＣフレームによる信号は通常の伝送速度により例えば６４ＱＡＭなどで情報信号が変調され、送信される。最初に送信される信号部分はＭＡＣフレームより伝送容量が低く、無線耐性に強い方式、例えばＱＰＳＫ、又はＢＰＳＫなどが用いられて送信される。
【００６５】
以上述べたように、上記のデータフレームでは、送信先を記した領域をＭＡＣヘッダから独立して設け、ＰＨＹヘッダの後方に配置する。その際ＰＨＹヘッダと同様に無線耐性の強い変調方式を用いて送信するため、仮に伝送路の状況が悪い場合であっても送信先情報は従来の方式より高い確率で受信機に着信させることを目的としている。
【００６６】
次に上述の第１の実施例による送信装置から送信された信号を受信する受信装置について述べる。
図６にＯＦＤＭ信号受信装置の構成を示し、図面を参照しその動作について述べる。
【００６７】
同図に示すＯＦＤＭ信号受信装置は、高周波信号処理部４１、プリアンブル検出同期処理部４３ａ、ガードインターバル除去部４４、フーリエ変換部４５、リファレンス信号復調４３ｂ、デマッピング部４６、誤り信号訂正処理部４７、訂正不可信号検出部４７ａ、ＰＨＹヘッダ・送信先情報復調部４８ａ、送信先情報確認部４８ｂ、ＮＡＫ信号生成部４９ａから構成されている。
【００６８】
まず、空間に放射された信号を図示しないアンテナ回路により得て、その得られた例えば５２本のサブキャリアよりなるＯＦＤＭ信号は高周波信号処理部４１で増幅される。次にプリアンブル検出同期処理部４３ａでデータフレームの先頭部が検出される。ＯＦＤＭ信号を復調するための同期信号が生成される。
【００６９】
生成された同期信号を基にガードインターバル除去部４４では送信装置により付されたガードインターバル部の信号が除去される。ガードインターバル部の除去された信号はフーリエ変換部４５に入力され、それぞれのサブキャリア信号に係るＱＡＭ平面上における信号点の位置が検出される。
【００７０】
リファレンス信号として割り当てられているサブキャリアの信号点情報を基にリファレンス信号復調部４３ｂではデマッピングするためのレファレンス信号レベルが復調される。デマッピング部４６ではレファレンス信号レベルを基にそれぞれのサブキュアリアのデマッピングを行い、得られたディジタルデータは訂正処理部４７に供給される。
【００７１】
ＦＣＳを用いて誤りの検出及び訂正のなされた情報信号は情報信号出力として出力されると共に、訂正不可の誤り信号は訂正不可信号検出部４７ａにおいて訂正不可として検出され、ＮＡＫ信号生成部４９ａに供給される。
【００７２】
そのＮＡＫ信号生成部４９ａには、ＰＨＹヘッダ・送信先情報復調部４８ａにより無線耐性の強い変調方式により送信された送信先情報が復調され、送信先情報確認部４８ｂにより確認された送信先情報も供給される。そして、ＭＡＣフレームを送信した送信端末に対して訂正不能なＭＡＣフレームが受信されたことを送信し、そのエラーを含む部分のデータ再送を依頼する。
【００７３】
その再送信を要求するＮＡＫ信号には復調して得た送信先アドレスを挿入して行うことにより、情報信号を送信した端末装置は自らが送ったデータが受信されなかったことを認識でき、確実に再送信に応じることができる。
【００７４】
図７にＮＡＫ信号の、ＭＡＣ部分のみのフレーム構成を示す。
同図において、先頭より、フレームコントロール、デュレイション・ＩＤ、送信先アドレス、及び誤り訂正符号（ＦＣＳ）の領域が割り当てられている。またデータ送信の際に送信先だけでなく、送信元も無線耐性の強い変調方式で送信するようにする。
【００７５】
その場合は、受信された送信元アドレスを挿入してＮＡＫ信号を形成することにより、ＮＡＫ信号を受信すべき端末を指定することもできる。ここでの送信先とは、初めにデータと共に送信された送信先アドレスのことである。
【００７６】
以上、データフレームの送信、及び受信データに訂正不可な誤りデータが含まれる場合のデータフレームの再送信を、送信先を指定するＮＡＫ信号を送信することにより行うフレームデータの送信方法について述べた。ここで、ＮＡＫ信号は受信した情報信号に誤りがある場合にのみ再送要求を行う信号であり、信号誤りがない場合には特にＮＡＫ信号を返信しない。
【００７７】
即ち、伝送路状態のよい平常の使用時においては、信号が正常に受信されたことを示すＡＣＫ信号を送信しないため、そのために設定されるＳＩＦＳの期間を含めて帯域の利用効率が向上し、データ伝送上のスループットが向上する。
【００７８】
そして、伝送路の状態が悪い状態で、送信したデータが誤り訂正不可として伝送されたときには、それを受信した端末より自局の送信元を無線耐性の強い変調方式により明確に指定したＮＡＫ信号が返送されるため、送信端末は少なくとも自分宛にデータフレームが送られてきているということを自端末が受信、認識するため、確実に再送要求に応じることができる。
【００７９】
特に、常時はＡＣＫ信号が返送されず、異常時にのみＮＡＫ信号が返送される場合には、返送されたＮＡＫ信号を確実に受信し、再送に応じる必要が有る。仮に、ＮＡＫ信号を返送した受信端末が、第３の端末に対して隠れ端末となることにより回線がビジーで無いと判断されることにより第３の信号が送信されてしまう場合であっても、無線耐性の強い変調方式によるＮＡＫ信号は送信端末で復号される確立が高い。従って、送信端末はデータフレーム全体の再送を行うことなく、受信端末で正常な受信をできないという事態を回避することができる。
【００８０】
以下、実施例の第１の変形例によるＯＦＤＭ信号送信装置及びＯＦＤＭ信号受信装置の構成を示し、それらの動作について述べる。なお、第１実施例によるのと同一の機能部分については同一の符号を付し、説明を略す。
図８に、第１の変形例によるＯＦＤＭ信号送信装置の構成を示す。
【００８１】
同図において、前述の図４に示した構成に比し、ＩＤカウンタ３１ｄが配されている点、ＭＡＣフレーム作成部３１ａの代わりにフレーム生成３１ｅが配置されている点、及びＰＨＹヘッダ・送信先情報変調部３３ｃの代わりにＰＨＹヘッダ・送信先情報・固有ＩＤ変調部３３ｄが配されている点で異なっている。そして、誤り訂正信号付加部３２の代わりに誤り訂正信号付加部３２ａが用いられており、信号の流れ方が異なっている。
【００８２】
図９に、第１の変形例によるデータフレームの構成を示す。
前述の図５に比し、ＭＡＣヘッダ、ペイロード、及びＦＣＳはＭＡＣフレームよりもデータ量の小さなセグメント構成のデータが複数セグメントに分割されて配置されている点で異なっている。
【００８３】
ＭＡＣフレームはセグメント構成のデータに分割されて伝送されると共に、セグメントデータの頭部には無線耐性の強い変調方式により伝送された送信先情報が付されたデータ構成となっている。また、各セグメントにはそれぞれを識別できるように固有ＩＤを割り当ててある。
【００８４】
そして、固有ＩＤは無線耐性の強い方式で変調を行う。送信先の次に伝送されるデータは、無線耐性の強い方式で変調されたＩＤと、通常の無線耐性で変調されるセグメントで構成されるデータとの組により構成されており、それらの組のデータが複数存在している。
【００８５】
図１０に、第１の変形例によるＯＦＤＭ信号受信装置の構成を示す。同図に示すＯＦＤＭ信号受信装置は前述の図６に示したＯＦＤＭ信号受信装置に比し、送信先情報確認部４８ｂが送信先・固有ＩＤ確認部４８ｃとなっている点で異なっている。
【００８６】
従って、前述の図６に示したＯＦＤＭ信号受信装置は、仮に受信されたデータの一部にエラーがある場合であっても、そのエラー部分を含むＭＡＣフレーム全体の再送を要求するのに対し、第１の変形例におけるＯＦＤＭ信号受信装置は誤りの含まれる固有ＩＤのみをＮＡＫ信号に付加して、送信装置へ返信する。誤り訂正不可だったセグメントのみの再送信を要求するようにしている。
【００８７】
図１１に、第１の変形例によるＮＡＫ信号のフレーム構成を示す。
前述の図７に示したフレーム構成に比し、固有ＩＤ１、固有ＩＤ２、・・・が挿入されている点で異なっている。その挿入される固有ＩＤの数は、誤りデータを含むセグメントの数と同じである。
【００８８】
図１２に実際に送信されるデータの状態を示す。送信機から4つのセグメントに分けられたデータフレームが送られてきた時、そのうち2番目と4番目のセグメントの誤り訂正が不可能で受信に失敗したとする。受信機はＮＡＫ信号により送信先アドレスと2番目と4番目のセグメントの固有ＩＤを返信する。
【００８９】
ここで、データ送信の際に送信先だけでなく、送信元も無線耐性の強い変調方式で送信すれば、そのアドレスを挿入してＮＡＫ信号を形成することで、再送信されるデータを受信すべき端末を指定して送信できる。ここでの送信先とは、はじめにデータと共に送られてきた送信先アドレスを示している。
【００９０】
なお、上記の例では、送信終了後直ちにＮＡＫ情報を伝送する場合について示した。それに対し、伝送するデータが長いインターリーブ長により配列されてエラー訂正処理を行うような場合では、複数回にわたり送信されたＭＡＣフレームのデータを配列しなおしてエラー訂正を行う場合がある。インターリーブを戻しつつ演算してエラー訂正を行う場合では、インターリーブ長に応じて遅延された時刻に訂正不能なエラーが存在することが検出されることになる。
【００９１】
即ち、長い時間のインターリーブ処理によるエラー訂正処理を行う場合においては全てのエラー訂正処理を行った後に訂正不能なデータエラーを含むセグメントを検出し、検出されたセグメント部分の再送を要求することになる。その場合は、送信終了後直ちにデータの再送を要求するのと異なり、所定時間経過後の送信となるため送信先相手の指定が難しくなる。
【００９２】
特に、伝送路の状態が悪いときには再送要求を受信した送信端末は自局なのか、他局なのかの判断がつき難い。この時、ＮＡＫ信号には受信端末が復調した送信先アドレスと誤り訂正が不可能であったセグメントの固有ＩＤを付加することによって、過去にデータを送信した送信元は自らが送信したデータである事を認識でき、再送信に応じることができるものである。
【００９３】
以上、第１の変形例における構成とその動作について特徴的な点を述べた。その他の動作は前述の実施例に対する構成、及び動作と同様である。
次に、第２の変形例による構成と動作について特徴的な点を述べる。
【００９４】
図１３に、第２の変形例によるＯＦＤＭ送信装置の構成を示す。この装置は、第１の変形例に比し、ＩＤカウンタ３１ｄが設けられてなく、ＰＨＹヘッダ・送信先情報・固有ＩＤ変調部３３ｄの代わりにＰＨＹヘッダ・送信先情報変調部３３ｃが配されている点で異なっている。
【００９５】
図１４に、第２の変形例によるデータフレームの構成を示す。
前述の図９に示した第１の変形例によるデータフレームに比し、無線耐性の強い変調方式により送信されるＩＤが存在しない点で異なっている。
【００９６】
図１５に第２の変形例によるＯＦＤＭ信号受信装置の構成を示す。前述の図１０に示した第１の変形例によるＯＦＤＭ信号受信装置に比し、送信先・固有ＩＤ確認部４８ｃの代わりに送信先情報確認部４８ｂが配されている点と、カウンタ４７ｂ及びメモリ４７ｃが新たに配されている点で異なっている。
【００９７】
ここで、カウンタ４７ｂは無線耐性の強い変調方式として伝送される送信先に続いて伝送されるセグメントの数をカウントし、受信されたセグメントのデータ誤り訂正が不可とされたときにはそのカウント数をメモリ４７ｃに記憶させる。従って、メモリには再送を要求すべきセグメント数のそれぞれが記憶される。
【００９８】
図１６に、第２の変形例によるＮＡＫ信号のフレーム構成を示す。
前述の図１１に示したＮＡＫ信号のフレーム構成では再送が必要な固有ＩＤを伝送するのに比し、第２の変形例によるＮＡＫ信号のフレーム構成ではエラーセグメントの番号に係る情報を送信する。
【００９９】
以上、第２の変形例によるＯＦＤＭ信号送信装置及びＯＦＤＭ信号受信装置の構成と動作について差の部分について述べた。その他の動作は実施例及び第１の変形例で示した動作と同様である。
【０１００】
以上詳述した実施例、第１及び第２の変形例に示した技術内容を次の１）〜１２）項のように纏めることが出来る。
１）  相互にパケット伝送を行う無線通信システムにおいて、
送信すべきパケット内に、送信先を割り当てた領域と、情報を割り当てた領域を用意し、それぞれを異なる無線方式で変調するもので、送信先を割り当てた領域を、情報部と同じかもしくはより無線耐性の強い変調方式を用いて送信する無線端末装置。
２）  送信すべきパケット内に、送信先を割り当てた領域と、情報及びその情報に対する誤り検出用コードを割り当てた領域を用意し、それぞれを異なる無線方式で変調するもので、送信先を割り当てた領域を、情報部と同じかもしくはより無線耐性の強い変調方式を用いて送信する無線端末装置を含んで構成される、相互にパケット伝送を行う無線通信システムにおいて、
より耐性の強い変調方式を用いて伝送された、送信先を割り当てた領域を復調し、その送信先が自分宛ての場合、情報を割り当てた領域の復調を引き続き行うものであり、その際、組み込まれた誤り検出用コードを用いて、誤り検出を行い、誤りを検出した場合は、受信失敗を知らせるＡＣＫパケットを生成し、送信する無線端末装置。
３）  上記２）項に係り、誤りを検出した事を知らせるＡＣＫパケットを生成し送信する無線端末装置を含んで構成され、相互にパケット伝送を行う無線通信システムにおいて、
ＡＣＫパケットを受信し、再度送信すべき情報を割り当てたパケットを生成し、送信する無線端末装置。
４）上記１）〜３）項を用いて構成する無線通信システム。
５）相互にパケット伝送を行う無線通信システムにおいて、
送信すべきパケット内に、送信先を割り当てた領域と情報を割り当てた領域を用意し、それぞれを異なる無線方式で変調するもので、送信先を割り当てた領域を、情報部と同じかもしくはより無線耐性の強い変調方式を用いて送信するものであって、
さらに情報部は複数のセグメントで分けられており、セグメント毎にそのセグメント固有のＩＤと誤り検出用コードを割り当て、そのＩＤ部分は、情報部と同じかもしくはより無線耐性の強い変調方式を用いて送信する無線端末装置。
６）  送信すべきパケット内に、送信先を割り当てた領域と情報を割り当てた領域を用意し、それぞれを異なる無線方式で変調するもので、送信先を割り当てた領域を、情報部と同じかもしくはより無線耐性の強い変調方式を用いて送信するものであって、さらに情報部は複数のセグメントで分けられており、セグメント毎にそのセグメント固有のＩＤと誤り検出用コードを割り当て、そのＩＤ部分は、情報部と同じかもしくはより無線耐性の強い変調方式を用いて送信する無線端末装置を含んで構成され、相互にパケット伝送を行う無線通信システムにおいて、
より耐性の強い変調方式を用いて伝送された、送信先を割り当てた領域を復調し、その送信先が自分宛ての場合、情報を割り当てた領域における各セグメントの領域の復調を引き続き行うものであり、その際、より耐性の強い変調方式を用いて伝送された各セグメント固有のＩＤを復調し、且つ各セグメントに組み込まれた誤り検出用コードを用いて、誤り検出を行うと共に、誤りを検出した場合は、そのセグメント固有のＩＤを保持し、受信を失敗したセグメント固有のＩＤ全てを割り当てたＡＣＫパケットを生成し、そのＡＣＫパケットを送信する無線端末装置。
７）  上記６）項に記載する、誤りを検出したセグメント固有のＩＤ全てを割り当てたＡＣＫパケットを生成し送信する無線端末装置を含んで構成され、相互にパケット伝送を行う無線通信システムにおいて、
ＡＣＫパケットを受信、復調し、パケット内で示されるセグメント固有のＩＤに対応する情報のみを繋ぎ合わせてパケットを生成し、送信する無線端末装置。
８）  上記５）〜７）項によって構成される無線通信システム
９）  相互にパケット伝送を行う無線通信システムにおいて、
送信すべきパケット内に、送信先を割り当てた領域と情報を割り当てた領域を用意し、それぞれを異なる無線方式で変調するもので、送信先を割り当てた領域を、情報部と同じかもしくはより無線耐性の強い変調方式を用いて送信するものであって、
さらに情報部は複数のセグメントで分けられており、セグメント毎に誤り検出用コードを割り当て送信する無線端末装置。
１０）  送信すべきパケット内に、送信先を割り当てた領域と情報を割り当てた領域を用意し、それぞれを異なる無線方式で変調するもので、送信先を割り当てた領域を、情報部と同じかもしくはより無線耐性の強い変調方式を用いて送信するものであって、さらに情報部は複数のセグメントで分けられており、セグメント毎に誤り検出用コードを割り当て送信する無線端末装置を含んで構成される、相互にパケット伝送を行う無線通信システムにおいて、
より耐性の強い変調方式を用いて伝送された、送信先を割り当てた領域を復調し、その送信先が自分宛ての場合、情報を割り当てた領域における各セグメントの領域の復調を引き続き行うものであり、その際、カウンタとメモリを備え、セグメント毎に復調を行い、セグメントに組み込まれた誤り検出用コードを用いて、誤り検出を行い、誤りを検出した場合は、カウンタとメモリにより幾つ目のセグメントの受信を失敗したかを保持し、受信を失敗したセグメントに対応する位置情報全てを割り当てたＡＣＫパケットを生成し、送信する無線端末装置。
１１）  上記１０）項に記載の、誤りを検出したセグメントの位置情報全てを割り当てたＡＣＫパケットを生成し送信する無線端末装置を含んで構成される、相互にパケット伝送を行う無線通信システムにおいて、
ＡＣＫパケットを受信し復調し、パケット内で示されるセグメントの位置情報に対応する情報のみを繋ぎ合わせパケットを生成し、送信する無線端末装置。
１２）  上記９）〜１１）項に記載される無線端末装置が用いられて構成される無線通信システム。
【産業上の利用可能性】
【０１０１】
複数の端末装置をインターネットに接続する無線ＬＡＮに応用可能な無線パケットデータ伝送システムの実現に利用できる。
【符号の説明】
【０１０２】
１  アクセスポイント
２ａ  端末Ａ
２ｂ  端末Ｂ
２ｃ  端末Ｃ
３１ａ  ＭＡＣフレーム作成部
３１ｂ  リファレンス信号部
３１ｃ  送信先情報抽出部
３１ｄ  ＰＨＹヘッダ部
３２  誤り訂正信号付加部
３２ａ  ＦＥＣインターリービング部
３３  マッピング部
３３ａ  ＭＡＣフレーム用変調部
３３ｂ  リファレンス用変調部
３３ｃ  ＰＨＹヘッダ・送信先情報変調部
３３ｄ  ＰＨＹヘッダ・送信先情報・固有ＩＤ変調部
３４  逆フーリエ変換部
３５、３５ａ  ガードインターバル付加部
３５ｂ  プリアンブル付加部
３６  高周波増幅処理部
３７  送信順位テーブル部
３８  送信制御部
３９  送信先情報・ＮＡＫ情報生成部
４１  高周波信号処理部
４３ａ  プリアンブル検出同期処理部
４３ｂ  リファレンス信号復調
４４  ガードインターバル除去部
４５  フーリエ変換部
４６  デマッピング部
４７  誤り信号訂正処理部
４７ａ  訂正不可信号検出部
４７ｂ  カウンタ
４７ｃ  メモリ
４８ａ  ＰＨＹヘッダ・送信先情報復調部
４８ｂ  送信先情報確認部
４８ｃ  送信先・固有ＩＤ確認部
４９  送信先情報・ＮＡＫ情報取得部
４９ａ  ＮＡＫ信号生成部
【図１】
0004359902.tif 000002
【図２】
0004359902.tif 000003
【図３】
0004359902.tif 000004
【図４】
0004359902.tif 000005
【図５】
0004359902.tif 000006
【図６】
0004359902.tif 000007
【図７】
0004359902.tif 000008
【図８】
0004359902.tif 000009
【図９】
0004359902.tif 000010
【図１０】
0004359902.tif 000011
【図１１】
0004359902.tif 000012
【図１２】
0004359902.tif 000013
【図１３】
0004359902.tif 000014
【図１４】
0004359902.tif 000015
【図１５】
0004359902.tif 000016
【図１６】
0004359902.tif 000017
【図１７】
0004359902.tif 000018
【図１８】
0004359902.tif 000019
【図１９】
0004359902.tif 000020